(57)【要約】【課題】  洗髪後の濡れた髪を手早く容易に包み込み、頭部に密着して水分を吸収させることができる洗髪用巻きつけタオルを提供する。【解決手段】  長方形のタオルの中心を絞ってギャザー部を形成し、先端部にシュシュを左右均等に中央部分を平紐で束ねてリボンの形状とした被係止部を接合し、底辺部の中央に紐で輪を形成した係止部を備え、左右両端部に弾性ゴム紐を挿通し伸縮可能とし、上下両端部分を二重に折り重ねて筒状に縫製し、かぶり口を中央部に形成することを特徴とする。【選択図】図２
2015039626.tif 000002
【特許請求の範囲】
【請求項１】
長方形のタオルの中心を絞ってギャザー部を形成し、先端部にシュシュを左右均等に中央部分を平紐で束ねてリボンの形状とした被係止部を接合し、底辺部の中央に紐で輪を形成した係止部を備え、左右両端部に弾性ゴム紐を挿通し伸縮可能とし、上下両端部分を二重に折り重ねて筒状に縫製し、かぶり口を中央部に形成することを特徴とする洗髪用巻きつけタオル。
【請求項２】
長方形のタオルの中心を絞ってギャザー部を形成することを特徴とする請求項１に記載の洗髪用巻きつけタオル。
【請求項３】
長方形のタオルの中心部に、シュシュを左右均等に中央部分を平紐で束ねてリボンの形状とした被係止部を形成することを特徴とする請求項１又は請求項２に記載の洗髪用巻きつけタオル。
【請求項４】
長方形のタオルの底辺部の中央に紐で輪を形成した係止部を備えることを特徴とする請求項１〜請求項３のいずれか１項に記載の洗髪用巻きつけタオル。
【請求項５】
長方形のタオルの左右両端部に弾性ゴム紐を挿通し伸縮可能とし、上下両端部分を二重に折り重ねて筒状に縫製すること特徴とする請求項１〜請求項４のいずれか１項に記載の洗髪用巻きつけタオル。
【請求項６】
長方形のタオルは、既製のタオルであることを特徴とする洗髪用巻きつけタオル。
【発明の詳細な説明】
【技術分野】
【０００１】  本発明は、濡れた頭髪を包み込み水分を吸収させるためのタオルに関する。
【背景技術】
【０００２】  従来、洗髪後の濡れた髪をドライヤーで乾かしたり自然乾燥したりする前に、頭髪の水分を吸収させるために長方形のタオルを頭部に巻きつけて、端の部分を折り畳んだり留め具でとめたり、結んだりすることが一般的に行われていた。
【先行技術文献】
【特許文献】
【０００３】
【特許文献１】特開２００４−７３７９０号公報
【発明の概要】
【発明が解決しようとする課題】
【０００４】  しかしながら、長方形のタオルは頭部に密着して巻きつけることが難しく、ずれてきたりほどけてきたりして、巻き直しすることもあり手間がかかった。【０００５】  上記特許文献１に開示されたタオルは、ロングサイズで生地の織り方を変えることでしっかりと結ぶことができるようになったが、形状は、従来のタオルと同じで頭部に密着して巻きつけることはできない。【０００６】  本発明は、上記のこのような点に鑑みてなされたもので、洗髪後の濡れた髪を手早く容易に包み込み、頭部に密着して水分を吸収させることができる洗髪用巻きつけタオルを提供することを目的とする。
【課題を解決するための手段】
【０００７】  本発明は、長方形のタオルの中心を絞ってギャザー部を形成し、先端部にシュシュを左右均等に中央部分を平紐で束ねてリボンの形状とした被係止部を接合し、底辺部の中央に紐で輪を形成した係止部を備え、左右両端部に弾性ゴム紐を挿通し伸縮可能とし、上下両端部分を二重に折り重ねて筒状に縫製し、かぶり口を中央部に形成することを特徴とする洗髪用巻きつけタオルを提供することで上記課題を解決する。【０００８】  また、本発明は、長方形のタオルの中心を絞ってギャザー部を形成することを特徴とする。【０００９】  また、本発明は、長方形のタオルの中心部にシュシュを左右均等に中央部分を平紐で束ねてリボンの形状とした被係止部を形成することを特徴とする。【００１０】  また、本発明は、長方形のタオルの底辺部の中央に紐で輪を形成した係止部を備えることを特徴とする。【００１１】  また、本発明は、長方形のタオルの左右両端部に弾性ゴム紐を挿通し伸縮可能とし上下両端部分を二重に折り重ねて筒状に縫製し、かぶり口を中央部に形成することを特徴とする。【００１２】  また、長方形のタオルは、既製のタオルであることを特徴とする。
【発明の効果】
【００１３】  請求項１の発明によれば、タオルの中心に形成されたギャザー部の先端部に接合したシュシュをリボンの形状とした被係止部を中心にして後頭部より濡れた髪を包み込み、額の上で左右両端部を交差させ巻きつけて、一方の額に接した端部分を折り込んでもう一方の上表面の端部分を折り返し覆いかぶせてゴム紐部でとめ、底辺部の中央に紐で輪を形成した係止部をリボンの形状とした被係止部にかけることで、手早く容易に頭髪を包み込み頭部に密着して巻きけることができる効果を有する。【００１４】  請求項２の発明によれば、タオルの中心にギャザー部を形成したために、タオルを巻きつける際に、頭部の形にそって密着して頭髪を包み込むことができる効果を有する。【００１５】  請求項３の発明によれば、タオルの中心部にシュシュをリボンの形状とした被係止部を形成したために、頭部に巻きつける際に、手のひらで被係止部を押さえて後頭部より頭髪にかぶせることでタオルが左右にずれることなく髪を包み込むことができる効果を有する。【００１６】  請求項４の発明によれば、頭部にタオルを巻きつけてとめた後、紐で輪を形成した係止部をリボンの形状とした被係止部にかけるため、襟首がすっきりとし、タオルが水分を吸収した後に重みで下にずれてくることを防ぐことができる効果を有する。【００１７】  請求項５の発明によれば、タオルの左右両端部に弾性ゴム紐を挿通し伸縮可能とし、上下両端部分を二重に折り重ねて筒状に縫製してあるため、タオルを頭部に巻きつけて額の上で交差させる際に、手で左右の端部を持ちやすく力が加わりやすくなり、きつく巻いたりゆるく巻いたり調整することができ、額の上でとめる際には、一方の額に接した端部分を折り込んでもう一方の上表面の端部分を折り返し覆いかぶせて、ゴム紐部で容易にとめることが可能となり、ほどくことも容易にできる効果を有する。【００１８】  請求項６の発明によれば、既製のタオルは、水分の吸収性に優れ生地は厚手のものや薄手のものがあるため、髪の量や長さの違いによる水分の吸収量に適切に対応することができ、大きさは縦３４ｃｍ、横８５ｃｍの長さのタオルを基準とすると、それぞれ数センチの違いがあるため、巻きつける際に、頭部の大きさに合わせて適したタオルを選択することができ、色、柄は豊富にあるため、多種多様な好みに対応できる効果を有する。
【図面の簡単な説明】
【００１９】
【図１】本発明の実施の形態に係る洗髪用巻きつけタオルの全体構成を示す平面図である。
【図２】本発明の実施の形態に係る洗髪用巻きつけタオルの斜視図である。
【図３】本発明の実施の形態に係る洗髪用巻きつけタオルの装着方法を説明するための斜視図である。
【図４】本発明の実施の形態に係る洗髪用巻きつけタオルの装着方法を説明するための正面図である。
【図５】本発明の実施の形態に係る洗髪用巻きつけタオルの装着方法を説明するための正面図である。
【図６】本発明の実施の形態に係る洗髪用巻きつけタオルの装着方法を説明するための正面図である。
【図７】本発明の実施の形態に係る洗髪用巻きつけタオルの装着方法を説明するための背面図である。
【図８】本発明の実地の形態に係る洗髪用巻きつけタオルの装着した状態を示す斜視図である。
【発明の実施するための形態】
【００２０】以下、本発明の実施の形態を図面に基づいて説明する。
【実施例】
【００２１】  図１において、１は本体のタオルであり、既製のタオルを用いる。吸水性があり既製のタオルと形状が同じであれば他の素材でもよい。【００２２】  本体のタオル１は、図１に示すように、タオルの中心に、径３ｃｍくらいのところを絞ったギャザー部２を形成する。３の被係止部はシュシュを左右均等に中央部分を平紐で束ねてリボンの形状とし、ギャザー部２を挟みこむように縫い接合する。シュシュの部分は布でリボンの形を縫製したものでもよい。底辺部１０の中央に紐で輪を形成した係止部４を縫いつける。紐の長さは被係止部の大きさによりかわってくるが１８ｃｍ前後とする。【００２３】  本体のタオル１の左右両端部の５ａ、５ｂを紐挿入部として使用し弾性ゴム７ａ、７ｂを挿通する。平行して６ａ、６ｂのゴム紐の挿通路を布テープで形成して８ａ、８ｂの弾性ゴムを挿通する。挿入する弾性ゴムの太さや強さにより平行するゴム紐挿通路部をさらに１列増して形成してもよい。【００２４】  図２に示すように、本体のタオル１の左右両端部の弾性ゴム紐の挿入始めと終わりは手首周りの大きさに縮ませて縫いとめる。１１ａ，１１ｂの部分は上辺部９と底辺部１０を重ねて２０ｃｍくらい縫製して、頭髪を包み込むためのかぶり口を形成する。頭部の大きさに対応して縫製部分の長さを調整する。【００２５】  ここで、本発明の洗髪用巻きつけタオルの装着方法を順を追って説明する。まず図３に示すように、洗髪した後に前かがみになった状態で、後頭部より紐で輪を形成した係止部を襟首に合わせて、シュシュをリボンの形状とした被係止部を手のひらで押さえて頭髪を包み込む。髪が長い場合は束ねて折りたたんでまとめて同様に包み込む。次に図４に示すように、左右の手で本体のタオル１の両端部を持ち、巻きつける際の強さを調整しながら額の上で交差させて、図５に示すように、一方の額に接した端部分を折り込んでもう一方の上表面の端部分を折り返し覆いかぶせて、図６に示すようにゴム紐部でとめる。次に図７に示すように、後頭部のリボンの形状とした被係止部に底辺部の紐で輪を形成した係止部をかけて装着完了する。【００２６】  図８に示すように、本発明の洗髪用巻きつけタオルを装着した状態はデザイン性もあり、外観的に優れている。
【産業上の利用可能性】
【００２７】  本発明は、既製のタオルを利用し、作製方法は簡単であるため、タオルの消費に貢献できる可能性が十分にある。
【符号の説明】
【００２８】１  本体のタオル
２  ギャザー部
３  被係止部
４  係止部
５ａ，５ｂ  ゴム紐の挿通路
６ａ，６ｂ  ゴム紐の挿通路
７ａ，７ｂ  弾性ゴム紐
８ａ，８ｂ  弾性ゴム紐
９  上辺部
１０  底辺部
１１ａ，１１ｂ  縫製部
【図１】
2015039626.tif 000003
【図２】
2015039626.tif 000004
【図３】
2015039626.tif 000005
【図４】
2015039626.tif 000006
【図５】
2015039626.tif 000007
【図６】
2015039626.tif 000008
【図７】
2015039626.tif 000009
【図８】
2015039626.tif 000010
【手続補正書】
【提出日】平成25年10月10日(2013.10.10)
【手続補正１】
【補正対象書類名】特許請求の範囲
【補正対象項目名】請求項５
【補正方法】変更
【補正の内容】
【請求項５】
長方形のタオルの左右両端部に弾性ゴム紐を挿通し伸縮可能とし、上下両端部分を二重に折り重ねて筒状に縫製し、かぶり口を中央部に形成することを特徴とする請求項１〜請求項４のいずれか１項に記載の洗髪用巻きつけタオル。
【手続補正２】
【補正対象書類名】明細書
【補正対象項目名】００１３
【補正方法】変更
【補正の内容】
【００１３】  請求項１の発明によれば、タオルの中心に形成されたギャザー部の先端部に接合したシュシュをリボンの形状とした被係止部を中心にして後頭部より濡れた髪を包み込み、額の上で左右両端部を交差させ巻きつけて、一方の額に接した端部分を折り込んでもう一方の上表面の端部分を折り返し覆いかぶせてゴム紐部でとめ、底辺部の中央に紐で輪を形成した係止部をリボンの形状とした被係止部にかけることで、手早く容易に頭髪を包み込み頭部に密着して巻きつけることができる効果を有する。